(57)【要約】 【課題】  画像データ保存装置への依存性の解放等を図る。【解決手段】  カメラ３０で撮影して取得された画像データの保存に際して、入力装置２０から処理装置４０に接頭辞を入力する。処理装置４０は、受け取った接頭辞を記憶装置５０の接頭辞と関連付けられるフォルダに登録する。入力装置２０から画像データの保存指示を受け取った処理装置４０は、記憶装置５０に登録されている接頭辞を読み出し、その接頭辞に基づいて名前を生成する。次いで、処理装置４０は、生成された名前の接頭辞と関連付けられるフォルダに上記画像データを保存する。【選択図】      図１
2006211278.tif 000002
【特許請求の範囲】
【請求項１】
画像データに名前を関連付けて画像データを保存する画像データ保存方法であって、
前記画像データの入力に際して前記名前を生成するための生成情報を入力し、
入力された前記生成情報に基づいて前記名前を生成し、
生成された前記名前を入力された前記画像データに関連付けることを特徴とする画像データ保存方法。
【請求項２】
入力された前記生成情報をグループ別に登録し、
画像データの保存指示で登録されている前記生成情報を読み出し、
読み出された前記生成情報に基づいて前記名前を生成することを特徴とする請求項１記載の画像データ保存方法。
【請求項３】
前記保存指示は、前記生成情報を含むことを特徴とする請求項２記載の画像データ保存方法。
【請求項４】
前記生成情報は、前記画像データの保存に有意な文字列であることを特徴とする請求項１、２又は３記載の画像データ保存方法。
【請求項５】
前記名前は、前記生成情報と画像データに付されるシリアル番号とに基づいて合成されるファイル名又はタイトル名であることを特徴とする請求項１、２、３又は４記載の画像データ保存方法。
【請求項６】
前記生成情報のグループ別登録は、前記生成情報に関連付けられるフォルダに行われることを特徴とする請求項２、３、４又は５記載の画像データ保存方法。
【請求項７】
前記画像データの保存は、前記生成情報に関連付けられるフォルダに行われることを特徴とする請求項１乃至６のいずれか一に記載の画像データ保存方法。
【請求項８】
画像データに名前を関連付けて画像データを保存する画像データ保存装置であって、
前記画像データの入力に際して前記名前を生成するための生成情報を入力する入力手段と、
該入力手段から入力された前記生成情報に基づいて前記名前を生成する第１の生成手段と、
該第１の生成手段で生成された前記名前を入力された前記画像データに関連付ける関連付け手段とを備えることを特徴とする画像データ保存装置。
【請求項９】
入力された前記生成情報をグループ別に登録する登録手段と、
画像データの保存指示で前記登録手段に登録されている前記生成情報を読み出す読み出し手段と、
該読み出し手段によって読み出された前記生成情報に基づいて前記名前を生成する第２の生成手段とを備えることを特徴とする請求項８記載の画像データ保存装置。
【請求項１０】
前記保存指示は、前記生成情報を含むことを特徴とする請求項９記載の画像データ保存装置。
【請求項１１】
前記生成情報は、前記画像データの保存に有意な文字列であることを特徴とする請求項８、９又は１０記載の画像データ保存装置。
【請求項１２】
前記名前は、前記生成情報と画像データに付されるシリアル番号とに基づいて合成されるファイル名又はタイトル名であることを特徴とする請求項８、９、１０又は１１記載の画像データ保存装置。
【請求項１３】
前記生成情報のグループ別登録は、前記生成情報に関連付けられるフォルダに行われることを特徴とする請求項９、１０、１１又は１２記載の画像データ保存装置。
【請求項１４】
前記画像データの保存は、前記生成情報に関連付けられるフォルダに行われることを特徴とする請求項８乃至１３のいずれか一に記載の画像データ保存装置。
【請求項１５】
画像データの保存に際して当該画像データと関連付けられる名前の生成に用いる生成情報を登録する名前生成情報登録方法であって、
前記画像データの入力に際して前記名前を生成するための生成情報を入力し、
入力された前記生成情報を該生成情報に関連付けられるフォルダ別に登録することを特徴とする名前生成情報登録方法。
【請求項１６】
入力された前記生成情報が登録されておらず、かつ、入力された前記生成情報と同名のフォルダが存在するとき、前記生成情報と前記フォルダとを関連付けて関連付けられた前記フォルダに登録することを特徴とする請求項１５記載の名前生成情報登録方法。
【請求項１７】
入力された前記生成情報と同名のフォルダが存在せず、かつ、フォルダを新規に作成可能であるとき、フォルダを作成して作成されたフォルダに前記生成情報を関連付けて関連付けられた前記フォルダに登録することを特徴とする請求項１５記載の名前生成情報登録方法。
【請求項１８】
画像データの保存に際して当該画像データと関連付けられる名前の生成に用いる生成情報を登録する名前生成情報登録装置であって、
前記画像データの入力に際して前記名前を生成するための生成情報を入力する入力手段と、
該入力手段から入力された前記生成情報を該生成情報に関連付けらフォルダ別に登録する登録手段とを備えることを特徴とする名前生成情報登録装置。
【請求項１９】
前記登録手段は、前記入力手段から入力された前記生成情報が登録されておらず、かつ、入力された前記生成情報と同名のフォルダが存在するとき、当該生成情報と前記フォルダとを関連付けて関連付けられた前記フォルダに登録することを特徴とする請求項１８記載の名前生成情報登録装置。
【請求項２０】
前記登録手段は、前記入力手段から入力された前記生成情報と同名のフォルダが存在せず、かつ、フォルダを新規に作成可能であるとき、フォルダを作成して作成されたフォルダに前記生成情報を関連付けて関連付けられた前記フォルダに登録することを特徴とする請求項１８記載の名前生成情報登録装置。
【請求項２１】
請求項１乃至７のいずれか一に記載の画像データ保存方法の手順をコンピュータに行わせることを特徴とする制御プログラム。
【請求項２２】
請求項８乃至１４のいずれか一に記載の画像データ保存装置の制御をコンピュータに行わせることを特徴とする制御プログラム。
【請求項２３】
請求項１５乃至１７のいずれか一に記載の名前生成情報登録方法の手順をコンピュータに行わせることを特徴とする制御プログラム。
【請求項２４】
請求項１８乃至２０のいずれか一に記載の名前生成情報登録装置の制御をコンピュータに行わせることを特徴とする制御プログラム。
【発明の詳細な説明】
【技術分野】
【０００１】
この発明は、画像データ保存方法及びその装置、そのための名前生成情報登録方法及びその装置並びにその制御プログラムに関し、詳しくは画像データに関連付ける名前のシステム依存性を除くのに役立つ画像データ保存方法及びその装置、そのための名前生成情報登録方法及びその装置並びにその制御プログラムに関する。
【背景技術】
【０００２】
画像撮影装置、例えば、デジタルカメラ（これには携帯電話機に装備のものも含む）で撮影して取得される画像データの保存及びその管理を行う技術の第１の例としては、Ｅxif２.２の仕様に従ったファイル名（ＸＸＸＸＮＮＮＮ：ＸＸＸＸは文字列、ＮＮＮＮは重複しないシリアル番号）又は撮影した日付時刻から自動的に生成されるファイル名若しくはタイトル名（例：ＹＹＹＹＭＭＤＤＨＨｍｍ：ＹＹＹＹは年、ＭＭは月、ＤＤは日、ＨＨは時間、ｍｍは分）等を使用して行われるものがある。ファイル名とタイトル名とは、それらに用いられる文字乃至記号の範囲がタイトル名の方が緩やかである。
この例における文字列は、その装置の製造において決められるもので、事後的な変更が困難なファイル名生成情報である。
【０００３】
また、第２の例としては、特許文献１に記載される技術がある。この技術は、カメラ装置で撮影された画像データに、撮影時における撮影条件を示す撮影データを付加させて画像保存装置へ送信し、その画像保存装置では送信されて来た画像データを画像保管手段に記憶させ、記憶されている画像データを上記撮影データに基づき管理しようとするものである。その管理は、具体的には、撮影データに含まれるシーン番号に対応するシーンタイトル別にグループ化されて行われる。
そして、そのように管理されている画像データのユーザへの提供は、グループ管理を継承した状態で行われることを示している。
【０００４】
また、第３の例としては、特許文献２に記載される技術がある。この技術は、デジタルカメラ等を複数人で共有して使用する場合の画像データの管理に係る技術である。
すなわち、デジタルカメラ等を共有する各個人毎のイベントとそのイベントの日時とを対応づけて記憶するデータベースを設けて置き、デジタルカメラ等で撮影した画像データに付加されている撮影日時対応のイベントをデータベースから選択し、選択されたイベントに基づいて撮影した画像データを分類しようとするものである。
【０００５】
【特許文献１】特開２００３−３３８９９８号公報
【特許文献２】特開２００４−２１４７５９号公報
【発明の開示】
【発明が解決しようとする課題】
【０００６】
上述の第１の例における画像データの保存及びその管理は、Ｅxif２.２の仕様に従ったファイル名又は撮影した日付時刻から自動的に生成されるファイル名若しくはタイトル名等によって行うものであるから、画像データを保存し、そしてその管理を行い得るとは言っても、ユーザの使い安さよりもシステムに依存した名前（管理情報）の下でその保存、管理が行われることとなるため、複数の画像データの中から特定の画像データを検索する際に難しさがあり、検索の簡便性に劣るばかりでなく、時間を多く費やしてしまっている。
【０００７】
また、第２の例は、画像データの分類ができるとはいうものの、カメラ装置に予め記憶してある撮影データの中から選択可能な情報、例えば、撮影した画像データに付加されるシーン番号に基づき、画像データをシーンタイトル別にグループ化（分類）して保存し、そのグループ毎に表示するものであるから、画像保存システムへの依存性が残存しているのみならず、撮影データの保存を行う画像記録手段を不可欠とする。
【０００８】
また、第３の例も、単一のデジタルカメラ等を複数人により共有する場合であっても、画像データの各人毎の分類を行うことはできるが、デジタルカメラ等の撮影に先立って、データベースを構築して置くことが必須であるから、その分類において画像分類装置への依存性の解決は為されていない。加えて、分類された複数の画像データのうちの単一の画像データの検索については何も示されていない。
【０００９】
この発明は、上述の事情に鑑みてなされたもので、撮像時に画像データに関連付ける名前の生成情報を入力し、画像データ保存装置への依存性を排して保存されている画像データへの迅速なアクセスを可能にする画像データ保存方法及びその装置、そのための名前要素名登録方法及びその装置並びにその制御プログラムを提供することを目的としている。
【課題を解決するための手段】
【００１０】
上記課題を解決するために、請求項１記載の発明は、画像データに名前を関連付けて画像データを保存する画像データ保存方法に係り、上記画像データの入力に際して上記名前を生成するための生成情報を入力し、入力された上記生成情報に基づいて上記名前を生成し、生成された上記名前を入力された上記画像データに関連付けることを特徴としている。
【００１１】
請求項２記載の発明は、請求項１記載の画像データ保存方法に係り、入力された上記生成情報をグループ別に登録し、画像データの保存指示で登録されている上記生成情報を読み出し、読み出された上記生成情報に基づいて上記名前を生成することを特徴としている。
【００１２】
請求項３記載の発明は、請求項２記載の画像データ保存方法に係り、上記保存指示は、上記生成情報を含むことを特徴としている。
【００１３】
請求項４記載の発明は、請求項１、２又は３記載の画像データ保存方法に係り、上記生成情報は、上記画像データの保存に有意な文字列であることを特徴としている。
【００１４】
請求項５記載の発明は、請求項１、２、３又は４記載の画像データ保存方法に係り、上記名前は、上記生成情報と画像データに付されるシリアル番号とに基づいて合成されるファイル名又はタイトル名であることを特徴としている。
【００１５】
請求項６記載の発明は、請求項２、３、４又は５記載の画像データ保存方法に係り、上記生成情報のグループ別登録は、上記生成情報に関連付けられるフォルダに行われることを特徴としている。
【００１６】
請求項７記載の発明は、請求項１乃至６のいずれか一に記載の画像データ保存方法に係り、上記画像データの保存は、上記生成情報に関連付けられるフォルダに行われることを特徴としている。
【００１７】
請求項８記載の発明は、画像データに名前を関連付けて画像データを保存する画像データ保存装置に係り、上記画像データの入力に際して上記名前を生成するための生成情報を入力する入力手段と、該入力手段から入力された上記生成情報に基づいて上記名前を生成する第１の生成手段と、該第１の生成手段で生成された上記名前を入力された上記画像データに関連付ける関連付け手段とを備えることを特徴としている。
【００１８】
請求項９記載の発明は、請求項８記載の画像データ保存装置に係り、入力された上記生成情報をグループ別に登録する登録手段と、画像データの保存指示で上記登録手段に登録されている上記生成情報を読み出す読み出し手段と、該読み出し手段によって読み出された上記生成情報に基づいて上記名前を生成する第２の生成手段とを備えることを特徴としている。
【００１９】
請求項１０記載の発明は、請求項９記載の画像データ保存装置に係り、上記保存指示は、上記生成情報を含むことを特徴としている。
【００２０】
請求項１１記載の発明は、請求項８、９又は１０記載の画像データ保存装置に係り、上記生成情報は、上記画像データの保存に有意な文字列であることを特徴としている。
【００２１】
請求項１２記載の発明は、請求項８、９、１０又は１１記載の画像データ保存装置に係り、上記名前は、上記生成情報と画像データに付されるシリアル番号とに基づいて合成されるファイル名又はタイトル名であることを特徴としている。
【００２２】
請求項１３記載の発明は、請求項９、１０、１１又は１２記載の画像データ保存装置に係り、上記生成情報のグループ別登録は、上記生成情報に関連付けられるフォルダに行われることを特徴としている。
【００２３】
請求項１４記載の発明は、請求項８乃至１３のいずれか一に記載の画像データ保存装置に係り、上記画像データの保存は、上記生成情報に関連付けられるフォルダに行われることを特徴としている。
【００２４】
請求項１５記載の発明は、画像データの保存に際して当該画像データと関連付けられる名前の生成に用いる生成情報を登録する名前生成情報登録方法に係り、上記画像データの入力に際して上記名前を生成するための生成情報を入力し、入力された上記生成情報を該生成情報に関連付けられるフォルダ別に登録することを特徴としている。
【００２５】
請求項１６記載の発明は、請求項１５記載の名前生成情報登録方法に係り、入力された上記生成情報が登録されておらず、かつ、入力された上記生成情報と同名のフォルダが存在するとき、上記生成情報と上記フォルダとを関連付けて関連付けられた上記フォルダに登録することを特徴としている。
【００２６】
請求項１７記載の発明は、請求項１５記載の名前生成情報登録方法に係り、入力された上記生成情報と同名のフォルダが存在せず、かつ、フォルダを新規に作成可能であるとき、フォルダを作成して作成されたフォルダに上記生成情報を関連付けて関連付けられた上記フォルダに登録することを特徴としている。
【００２７】
請求項１８記載の発明は、画像データの保存に際して当該画像データと関連付けられる名前の生成に用いる生成情報を登録する名前生成情報登録装置に係り、上記画像データの入力に際して上記名前を生成するための生成情報を入力する入力手段と、該入力手段から入力された上記生成情報を該生成情報に関連付けられるフォルダ別に登録する登録手段とを備えることを特徴としている。
【００２８】
請求項１９記載の発明は、請求項１８記載の名前生成情報登録装置に係り、上記登録手段は、上記入力手段から入力された上記生成情報が登録されておらず、かつ、入力された上記生成情報と同名のフォルダが存在するとき、当該生成情報と上記フォルダとを関連付けて関連付けられた上記フォルダに登録することを特徴としている。
【００２９】
請求項２０記載の発明は、請求項１８記載の名前生成情報登録装置に係り、上記登録手段は、上記入力手段から入力された上記生成情報と同名のフォルダが存在せず、かつ、フォルダを新規に作成可能であるとき、フォルダを作成して作成されたフォルダに上記生成情報を関連付けて関連付けられた上記フォルダに登録することを特徴としている。
【００３０】
請求項２１記載の発明は、画像データ保存方法の制御プログラムに係り、請求項１乃至７のいずれか一に記載の画像データ保存方法の手順をコンピュータに行わせることを特徴としている。
【００３１】
請求項２２記載の発明は、画像データ保存装置の制御プログラムに係り、請求項８乃至１４のいずれか一に記載の画像データ保存装置の制御をコンピュータに行わせることを特徴としている。
【００３２】
請求項２３記載の発明は、名前生成情報登録方法の制御プログラムに係り、請求項１５乃至１７のいずれか一に記載の名前生成情報登録方法の手順をコンピュータに行わせることを特徴としている。
【００３３】
請求項２４記載の発明は、名前生成情報登録装置の制御プログラムに係り、請求項１８乃至２０のいずれか一に記載の名前生成情報登録装置の制御をコンピュータにさせることを特徴としている。
【発明の効果】
【００３４】
この発明によれば、撮影されて取得された画像データの保存にユーザ自身が認識し易いとして選定した名前の生成情報を入力し、その生成情報に基づいて名前を生成し、生成された名前を画像データに関連付けて画像データを保存するので、画像データ保存装置への依存性が無くなり、画像データの検索、管理の容易性の向上に役立つ。
そして、画像データを名前の生成情報に関連付けられるフォルダに保存するようにすれば、画像データの検索、管理の容易性は、さらに向上する。
【発明を実施するための最良の形態】
【００３５】
この発明は、画像データに名前を関連付けて画像データを保存するに際して、上記名前を生成するための生成情報を入力し、入力された生成情報に基づいて名前を生成し、生成された名前を保存しようとする画像データに関連付けるようにして構成される。
また、上記保存を名前の生成情報に関連付けられるフォルダにするようにして構成される。
【実施例１】
【００３６】
図１は、この発明の実施例１である画像データ保存装置の電気的構成を示す図、図２は、同画像データ保存装置の接頭辞登録フローチャート、また、図３は、同画像データ保存装置の画像データ保存フローチャートである。
【００３７】
この実施例の画像データ保存装置１０は、保存しようとする画像データに関連付ける名前の生成に用いる情報（生成情報）を画像データの入力に際して入力し、その生成情報に基づいて名前を生成してその名前を画像データに関連付けて保存する画像データ保存装置に係り、図１に示すように、キーボード等の入力装置２０と、カメラ３０と、処理装置４０と、記憶装置５０と、表示装置６０とから概略構成されている。
【００３８】
入力装置２０は、入力文字列（接頭辞）、保存指示及び表示指示を処理装置４０に入力する装置である。
この接頭辞は、ユーザが任意に認識し易いとして選定し画像データの検索、管理の容易性を向上させる情報であり、画像データ保存装置に依存しない検索情報であり管理情報として用いるものである。そして、接頭辞は、画像データの保存に際して、その画像データに関連付けられる名前の生成に用いる生成情報である。
【００３９】
カメラ３０は、被撮像体の画像を撮像してその画像データを処理装置４０に入力する装置である。
処理装置４０は、接頭辞管理処理部４１と、画像保存処理部４２と、名前合成処理部４３と、シリアル番号生成処理部４４と、表示処理部４５とから構成され、入力装置２０、カメラ３０、記憶装置５０及び表示装置６０に接続されている。
処理装置４０は、入力装置２０から各種制御情報を受け取ると共に、カメラ３０から画像データを受け取って記憶装置５０との間で画像保存に係る各種処理を行い、記憶装置５０に保存されている画像データを入力装置２０からの表示指示に基づいて読み出しその画像を表示装置６０に表示させる装置である。
【００４０】
記憶装置５０は、接頭辞記憶部５１と、画像データ記憶部５２とを含んで構成される。
接頭辞記憶部５１は、入力装置２０から入力される接頭辞の登録が後述するようにして許容されるときその接頭辞を当該接頭辞に関連付けられるフォルダに記憶する。
画像データ記憶部５２は、後述するようにして生成される名前（ファイル名又はタイトル名）の接頭辞に関連付けられるフォルダに画像データを保存する。
【００４１】
処理装置４０の接頭辞管理処理部４１は、入力装置２０から入力される接頭辞の接頭辞記憶部５１への書き込み、読み出し及び削除と、名前合成処理部４３から要求された接頭辞の読み出しを行う。
名前合成処理部４３は、接頭辞管理処理部４１及びシリアル番号生成処理部４４に問い合わせて得られたデータに基づいて名前（ファイル名又はタイトル名）を合成して生成する。
【００４２】
画像保存処理部４２は、カメラ３０で撮像されて得られた画像データを、画像データ記憶部５２の上記名前（ファイル名又はタイトル名）の接頭辞に関連づけられるフォルダに保存させる。
シリアル番号生成処理部４４は、名前合成処理部４３からの問い合わせに基づいて画像データ記憶部５２を参照し、重複しないシリアル番号を生成する。
表示処理部４５は、入力装置２０の表示指示に従い、画像データ記憶部５２に保存されている画像データを読み出し、その画像を表示装置６０に表示させる。
そして、処理装置４０を構成する各部は、制御プログラムの実行によりその機能が生ぜしめらるように構成されている。
【００４３】
次に、図1乃至図３を参照して、この実施例の動作について説明する。
先ず、接頭辞の登録動作について説明する。
入力装置２０から入力文字列（接頭辞）が接頭辞管理処理部４１に供給されると、接頭辞管理処理部４１は、その入力文字列と同じ接頭辞が接頭辞記憶部５１に登録済みであるか否かが調べる（図２のＳ１１、Ｓ１２）。
もし入力文字列と同じ接頭辞が接頭辞記憶部５１に登録済みであった場合には（Ｓ１２のＹＥＳ）、同じ接頭辞が複数存在することは、管理上及び使用上支障を来たすから、同一の接頭辞は許容されず、その旨が入力装置２０に返却される（Ｓ１３）。
【００４４】
入力文字列と同じ接頭辞が接頭辞記憶部５１に登録済みでなかった場合は（Ｓ１２のＮＯ）、その接頭辞を接頭辞記憶部５１に登録した後（Ｓ１４）、接頭辞と同名のフォルダが存在するか否かを調べる（Ｓ１５）。これは、別途の画像データの保存において使用されているフォルダとの重複を避けるためである。
もし接頭辞と同名のフォルダが存在していた場合は（Ｓ１５のＹＥＳ）、接頭辞とそのフォルダとを関連づけて接頭辞を接頭辞記憶部５１に登録する（Ｓ１６、Ｓ１７）。
もし接頭辞と同名のフォルダが存在していなかった場合は（Ｓ１５のＮＯ）、新規のフォルダを作成できるか否かを調べ（Ｓ１８）、作成できる場合は（Ｓ１８のＹＥＳ）、接頭辞と同名のフォルダを作成し（Ｓ１９）、その接頭辞とフォルダとを関連付けて接頭辞を接頭辞記憶部５１の関連付けられているフォルダに登録し（Ｓ１６）、その登録完了を入力装置２０に返却する（Ｓ１７）。
作成できない場合は（Ｓ１８のＮＯ）、入力された接頭辞をデフォルトのフォルダと関連付けて接頭辞を登録し、その登録完了を入力装置２０に返却する（Ｓ１７）。
【００４５】
次に、接頭辞を用いた画像データの保存処理について説明する。
入力装置２０から画像データの保存指示が出されると、画像保存処理部４２は、名前合成処理部４３に対して名前の合成処理を要求する。保存指示には、接頭辞が含まれている。
名前合成処理部４３は、接頭辞管理処理部４１に対して接頭辞の取得を要求する。要求を受けた接頭辞管理処理部４１は、接頭辞記憶部５１から接頭辞を取得し、名前合成処理部４３に返却する（図３のＳ３１）。
【００４６】
名前合成処理部４３は、接頭辞管理処理部４１から返却されて来た接頭辞をシリアル番号生成処理部４４に渡し、重複しないシリアル番号の生成を要求する（Ｓ３２）。
シリアル番号生成処理部４４は、画像データ記憶部５２に登録されているデータを参照し、そのデータと名前合成処理部４３から渡された接頭辞とを考慮に入れて名前の生成に際して重複しないシリアル番号を生成し、これを名前合成処理部４３に返却する（Ｓ３２）。
【００４７】
名前合成処理部４３は、接頭辞管理処理部４１から得た接頭辞とシリアル番号生成処理部４４から得たシリアル番号とを合成して生成された名前を画像保存処理部４２に返却する（Ｓ３３）。
上述のようにして名前を得た画像保存処理部４２は、その名前をカメラ３０で撮影された画像データに関連付けて画像データ記憶部５２に保存する。その保存は、接頭辞と関連付けられているフォルダに行う。
【００４８】
このようにして画像データ記憶部５２に保存されている画像データは、入力装置２０からの表示指示を受けた表示処理部４５の制御の下に画像データ記憶部５２から読み出されて表示装置６０に表示される。
【００４９】
このように、この実施例によれば、カメラによる画像の撮影時にユーザ自身が認識し易いとして選定した接頭辞をフォルダに登録し、撮影されて取得されている画像データの保存指示に基づいて登録されている接頭辞を読み出して名前を生成し、画像データを名前の接頭辞に関連付けられるフォルダに保存し、ユーザの認識し易い接頭辞によって保存されている画像データの検索、管理を行い得るようにしたので、画像データ保存装置への依存性が無くなり、画像データの検索、管理の容易性の向上に役立つ。
【００５０】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、接頭辞を文字列とする例について説明したが、これに限らない。例えば、記号列、画像データの検索、管理上有意な他の情報等であってもよい。
上記実施例では、名前は、接頭辞とシリアル番号との合成で生成される例について説明したが、他の生成の仕方を用いてもよい。生成の仕方に本発明はない。
また、接頭辞の登録を行う例について説明したが、その登録を行わず、画像データの保存に際して入力される接頭辞の一時的な保持を行い、接頭辞に基づいて名前を生成し、生成された名前を画像データに付して画像データを保存するようにしてこの発明を実施してもよい。
【産業上の利用可能性】
【００５１】
ここに開示している発明は、各種の画像の保存を必要とする画像撮影装置、例えば、被写体から画像を取得してその被写体の診断を行う装置等で利用し得る。
【図面の簡単な説明】
【００５２】
【図１】この発明の実施例１である画像データ保存装置の電気的構成を示す図である。
【図２】同画像データ保存装置の接頭辞登録フローチャートである。
【図３】同画像データ保存装置の画像データ保存フローチャートである。
【符号の説明】
【００５３】
１０      画像データ保存装置
２０      入力装置（入力手段、関連付け手段の一部）
３０      カメラ
４１      接頭辞管理処理部（登録手段、読み出し手段の一部）
４２      画像登録処理部（関連付け手段の残部、読み出し手段の残部）
４３      名前合成処理部（第１の生成手段、第２の生成手段の一部）
４４      シリアル番号生成処理部（第２の生成手段の残部）
【図１】
2006211278.tif 000003
【図２】
2006211278.tif 000004
【図３】
2006211278.tif 000005